【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
撮像した複数枚の画像を記録媒体に記録して再生表示する画像処理方法であって、画像を撮像する撮像工程と、該撮像工程により撮像した画像を記録及び再生する記録／再生工程と、少なくとも現在より前に撮像した画像を再生して表示する表示工程とを有し、前記表示工程は、現在の撮像信号と少なくとも現在より前に撮像した画像を再生した信号とを一部境界領域を重ねて表示する複数の表示配置モードを備えていることを特徴とする画像処理方法。
【請求項２】
前記表示工程の複数の表示配置モードが水平および垂直方向の２次元方向に配置された第１の表示配置モードと、水平または垂直方向の１次元方向に配置された第２の表示配置モードであることを特徴とする請求項１に記載の画像処理方法。
【請求項３】
撮像した複数枚の画像を記録媒体に記録して再生表示する画像処理装置であって、画像を撮像する撮像手段と、該撮像手段により撮像した画像を記録及び再生する記録／再生手段と、少なくとも現在より前に撮像した画像を再生して表示する表示手段とを有し、前記表示手段は、現在の撮像信号と少なくとも現在より前に撮像した画像を再生した信号とを一部境界領域を重ねて表示する複数の表示配置モードを備えていることを特徴とする画像処理装置。
【請求項４】
前記表示手段の複数の表示配置モードが水平および垂直方向の２次元方向に配置された第１の表示配置モードと、水平または垂直方向の１次元方向に配置された第２の表示配置モードであることを特徴とする請求項４に記載の画像処理装置。
【請求項５】
撮像した複数枚の画像を記録媒体に記録して再生表示する画像処理方法であって、画像を撮像する撮像工程と、該撮像工程により撮像した画像を記録及び再生する記録／再生工程と、少なくとも現在より前に撮像した画像を再生して表示する表示工程とを有し、前記表示工程は、現在の撮像信号と少なくとも現在より前に撮像した画像を再生した信号とを一部境界領域を重ねて１次元方向に配置して表示する表示配置モードと、配置方向を１次元方向に反転する機能とを備えていることを特徴とする画像処理方法。
【請求項６】
配置方向を１次元方向に反転する機能を、少なくとも１枚目の撮影終了後は使用禁止としたことを特徴とする請求項５に記載の画像処理方法。
【請求項７】
前記表示配置モードが水平方向に配置される水平配置モードと、垂直方向に配置される垂直配置モードとからなることを特徴とする請求項５または６に記載の画像処理方法。
【請求項８】
撮像した複数枚の画像を記録媒体に記録して再生表示する画像処理装置であって、画像を撮像する撮像手段と、該撮像手段により撮像した画像を記録及び再生する記録／再生手段と、少なくとも現在より前に撮像した画像を再生して表示する表示手段とを有し、前記表示手段は、現在の撮像信号と少なくとも現在より前に撮像した画像を再生した信号とを一部境界領域を重ねて一次元方向に配置して表示する表示配置モードと、配置方向を一次元方向に反転する機能とを備えていることを特徴とする画像処理装置。
【請求項９】
配置方向を１次元方向に反転する機能を、少なくとも１枚目の撮影終了後は使用禁止としたことを特徴とする請求項８に記載の画像処理装置。
【請求項１０】
前記表示配置モードが、水平方向に配置される水平配置モードと、垂直方向に配置される垂直配置モードとからなることを特徴とする請求項８または９に記載の画像処理装置。
【請求項１１】
撮像した複数枚の画像を記録媒体に記録して再生表示する画像処理方法であって、画像を撮像する撮像工程と、該撮像工程により撮像した画像を記録及び再生する記録／再生工程と、少なくとも現在より前に撮像した画像を再生して表示する表示工程と、現在の撮像信号と少なくとも現在より前に撮像した画像を再生した信号とを一部境界領域を重ねて１次元方向に配置して表示する第１の表示配置モード及び少なくとも現在より前に撮像した画像を再生した信号と更に前に撮像した画像を再生した信号とを一部境界領域を重ねて１次元方向に配置して表示する第２の表示配置モードを切り替える切り替え工程とを備えていることを特徴とする画像処理方法。
【請求項１２】
撮像した複数枚の画像を記録媒体に記録して再生表示する画像処理装置であって、画像を撮像する撮像手段と、該撮像手段により撮像した画像を記録及び再生する記録／再生手段と、少なくとも現在より前に撮像した画像を再生して表示する表示手段と、現在の撮像信号と少なくとも現在より前に撮像した画像を再生した信号とを一部境界領域を重ねて一次元方向に配置して表示手段に表示する第１の表示配置モード及び少なくとも現在より前に撮像した画像を再生した信号と更に前に撮像した画像を再生した信号とを一部境界領域を重ねて一次元方向に配置して表示手段に表示する第２の表示配置モードとを切り替える切り替え手段とを備えていることを特徴とする画像処理装置。
【請求項１３】
撮像した複数枚の画像を記録媒体に記録して再生表示する画像処理方法であって、画像を撮像する撮像工程と、該撮像工程により撮像した画像を記録及び再生する記録／再生工程と、少なくとも現在より前に撮像した画像を再生して表示する表示工程とを有し、前記表示工程は、現在の撮像信号と少なくとも現在より前に撮像した画像を再生した信号とを一部境界領域を重ねて２次元方向に配置して表示する表示配置モードを備え、前記表示配置モードによって配置された各表示領域の中で任意の領域を選択する選択工程を備えていることを特徴とする画像処理方法。
【請求項１４】
前記選択工程は、最後に撮像した画像を再生して表示する表示領域を選択することを特徴とする請求項１３に記載の画像処理方法。
【請求項１５】
撮像した複数枚の画像を記録媒体に記録して再生表示する画像処理装置であって、画像を撮像する撮像手段と、該撮像手段により撮像した画像を記録及び再生する記録／再生手段と、少なくとも現在より前に撮像した画像を再生して表示する表示手段とを有し、前記表示手段は、現在の撮像信号と少なくとも現在より前に撮像した画像を再生した信号とを一部境界領域を重ねて２次元方向に配置して表示する表示配置モードを備え、前記表示配置モードによって配置された各表示領域の中で任意の領域を選択する選択手段を備えていることを特徴とする画像処理装置。
【請求項１６】
前記選択手段は、最後に撮像した画像を再生して表示する表示領域を選択することを特徴とする請求項１５に記載の画像処理装置。
【請求項１７】
撮像した複数枚の画像を記録媒体に記録して再生表示する画像処理装置を制御する制御プログラムを格納する記憶媒体であって、画像を撮像し、該撮像した画像を記録及び再生し、少なくとも現在より前に撮像した画像を再生して表示し、現在の撮像信号と少なくとも現在より前に撮像した画像を再生した信号とを一部境界領域を重ねて表示する複数の表示配置モードを実行するように制御するステップの制御モジュールを有する制御プログラムを格納したことを特徴とする記憶媒体。
【請求項１８】
撮像した複数枚の画像を記録媒体に記録して再生表示する画像処理装置を制御する制御プログラムを格納する記憶媒体であって、画像を撮像し、該撮像した画像を記録及び再生し、少なくとも現在より前に撮像した画像を再生して表示し、現在の撮像信号と少なくとも現在より前に撮像した画像を再生した信号とを一部境界領域を重ねて１次元方向に配置して表示する表示配置モードと、配置方向を１次元方向に反転する機能とを実行するように制御するステップの制御モジュールを有する制御プログラムを格納したことを特徴とする記憶媒体。
【請求項１９】
撮像した複数枚の画像を記録媒体に記録して再生表示する画像処理装置を制御する制御プログラムを格納する記憶媒体であって、画像を撮像し、該撮像した画像を記録及び再生し、少なくとも現在より前に撮像した画像を再生して表示し、現在の撮像信号と少なくとも現在より前に撮像した画像を再生した信号とを一部境界領域を重ねて１次元方向に配置して表示する第１の表示配置モード及び少なくとも現在より前に撮像した画像を再生した信号と更に前に撮像した画像を再生した信号とを一部境界領域を重ねて１次元方向に配置して表示する第２の表示配置モードを切り替えるように制御するステップの制御モジュールを有する制御プログラムを格納したことを特徴とする記憶媒体。
【請求項２０】
撮像した複数枚の画像を記録媒体に記録して再生表示する画像処理装置を制御する制御プログラムを格納する記憶媒体であって、画像を撮像し、該撮像した画像を記録及び再生し、少なくとも現在より前に撮像した画像を再生して表示し、現在の撮像信号と少なくとも現在より前に撮像した画像を再生した信号とを一部境界領域を重ねて２次元方向に配置して表示する表示配置モードによって配置された各表示領域の中で任意の領域を選択するように制御するステップの制御モジュールを有する制御プログラムを格納したことを特徴とする記憶媒体。
【手続補正２】
【補正対象書類名】明細書
【補正対象項目名】０００８
【補正方法】変更
【補正の内容】
【０００８】
本発明は上述した従来の技術の有するこのような問題点に鑑みてなされたものであり、その目的とするところは、撮影用途が限定されることなく、利便性の高いが像処理方法及び装置並びに記憶媒体を提供しようとするものである。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
【課題を解決するための手段】
上記目的を達成するために請求項１に記載の蛾像処理方法は、撮像した複数枚の画像を記録媒体に記録して再生表示する画像処理方法であって、画像を撮像する撮像工程と、該撮像工程により撮像した画像を記録及び再生する記録／再生工程と、少なくとも現在より前に撮像した画像を再生して表示する表示工程とを有し、前記表示工程は、現在の撮像信号と少なくとも現在より前に撮像した画像を再生した信号とを一部境界領域を重ねて表示する複数の表示配置モードを備えていることを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
また、上記目的を達成するために請求項３に記載の画像処理装置は、撮像した複数枚の画像を記録媒体に記録して再生表示する画像処理装置であって、画像を撮像する撮像手段と、該撮像手段により撮像した画像を記録及び再生する記録／再生手段と、少なくとも現在より前に撮像した画像を再生して表示する表示手段とを有し、前記表示手段は、現在の撮像信号と少なくとも現在より前に撮像した画像を再生した信号とを一部境界領域を重ねて表示する複数の表示配置モードを備えていることを特徴とする。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】変更
【補正の内容】
【００２６】
また、上記目的を達成するために請求項５に記載の画像処理方法は、撮像した複数枚の画像を記録媒体に記録して再生表示する画像処理方法であって、画像を撮像する撮像工程と、該撮像工程により撮像した画像を記録及び再生する記録／再生工程と、少なくとも現在より前に撮像した画像を再生して表示する表示工程とを有し、前記表示工程は、現在の撮像信号と少なくとも現在より前に撮像した画像を再生した信号とを一部境界領域を重ねて１次元方向に配置して表示する表示配置モードと、配置方向を１次元方向に反転する機能とを備えていることを特徴とする。
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】変更
【補正の内容】
【００３４】
また、上記目的を達成するために請求項８に記載の画像処理装置は、撮像した複数枚の画像を記録媒体に記録して再生表示する画像処理装置であって、画像を撮像する撮像手段と、該撮像手段により撮像した画像を記録及び再生する記録／再生手段と、少なくとも現在より前に撮像した画像を再生して表示する表示手段とを有し、前記表示手段は、現在の撮像信号と少なくとも現在より前に撮像した画像を再生した信号とを一部境界領域を重ねて一次元方向に配置して表示する表示配置モードと、配置方向を一次元方向に反転する機能とを備えていることを特徴とする。
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】変更
【補正の内容】
【００４３】
また、上記目的を達成するために請求項１１に記載の画像処理方法は、撮像した複数枚の画像を記録媒体に記録して再生表示する画像処理方法であって、画像を撮像する撮像工程と、該撮像工程により撮像した画像を記録及び再生する記録／再生工程と、少なくとも現在より前に撮像した画像を再生して表示する表示工程と、現在の撮像信号と少なくとも現在より前に撮像した画像を再生した信号とを一部境界領域を重ねて１次元方向に配置して表示する第１の表示配置モード及び少なくとも現在より前に撮像した画像を再生した信号と更に前に撮像した画像を再生した信号とを一部境界領域を重ねて１次元方向に配置して表示する第２の表示配置モードを切り替える切り替え工程とを備えていることを特徴とする。
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】削除
【補正の内容】
【手続補正４４】
【補正対象書類名】明細書
【補正対象項目名】００５０
【補正方法】変更
【補正の内容】
【００５０】
また、上記目的を達成するために請求項１２に記載の画像処理装置は、撮像した複数枚の画像を記録媒体に記録して再生表示する画像処理装置であって、画像を撮像する撮像手段と、該撮像手段により撮像した画像を記録及び再生する記録／再生手段と、少なくとも現在より前に撮像した画像を再生して表示する表示手段と、現在の撮像信号と少なくとも現在より前に撮像した画像を再生した信号とを一部境界領域を重ねて一次元方向に配置して表示手段に表示する第１の表示配置モード及び少なくとも現在より前に撮像した画像を再生した信号と更に前に撮像した画像を再生した信号とを一部境界領域を重ねて一次元方向に配置して表示手段に表示する第２の表示配置モードとを切り替える切り替え手段とを備えていることを特徴とする。
【手続補正４５】
【補正対象書類名】明細書
【補正対象項目名】００５１
【補正方法】削除
【補正の内容】
【手続補正４６】
【補正対象書類名】明細書
【補正対象項目名】００５２
【補正方法】削除
【補正の内容】
【手続補正４７】
【補正対象書類名】明細書
【補正対象項目名】００５３
【補正方法】削除
【補正の内容】
【手続補正４８】
【補正対象書類名】明細書
【補正対象項目名】００５４
【補正方法】削除
【補正の内容】
【手続補正４９】
【補正対象書類名】明細書
【補正対象項目名】００５５
【補正方法】削除
【補正の内容】
【手続補正５０】
【補正対象書類名】明細書
【補正対象項目名】００５６
【補正方法】削除
【補正の内容】
【手続補正５１】
【補正対象書類名】明細書
【補正対象項目名】００５７
【補正方法】削除
【補正の内容】
【手続補正５２】
【補正対象書類名】明細書
【補正対象項目名】００５８
【補正方法】変更
【補正の内容】
【００５８】
また、上記目的を達成するために請求項１３に記載の画像処理方法は、撮像した複数枚の画像を記録媒体に記録して再生表示する画像処理方法であって、画像を撮像する撮像工程と、該撮像工程により撮像した画像を記録及び再生する記録／再生工程と、少なくとも現在より前に撮像した画像を再生して表示する表示工程とを有し、前記表示工程は、現在の撮像信号と少なくとも現在より前に撮像した画像を再生した信号とを一部境界領域を重ねて２次元方向に配置して表示する表示配置モードを備え、前記表示配置モードによって配置された各表示領域の中で任意の領域を選択する選択工程を備えていることを特徴とする。
【手続補正５３】
【補正対象書類名】明細書
【補正対象項目名】００５９
【補正方法】削除
【補正の内容】
【手続補正５４】
【補正対象書類名】明細書
【補正対象項目名】００６０
【補正方法】削除
【補正の内容】
【手続補正５５】
【補正対象書類名】明細書
【補正対象項目名】００６１
【補正方法】削除
【補正の内容】
【手続補正５６】
【補正対象書類名】明細書
【補正対象項目名】００６２
【補正方法】削除
【補正の内容】
【手続補正５７】
【補正対象書類名】明細書
【補正対象項目名】００６３
【補正方法】削除
【補正の内容】
【手続補正５８】
【補正対象書類名】明細書
【補正対象項目名】００６４
【補正方法】変更
【補正の内容】
【００６４】
また、上記目的を達成するために請求項１５に記載の画像処理装置は、撮像した複数枚の画像を記録媒体に記録して再生表示する画像処理装置であって、画像を撮像する撮像手段と、該撮像手段により撮像した画像を記録及び再生する記録／再生手段と、少なくとも現在より前に撮像した画像を再生して表示する表示手段とを有し、前記表示手段は、現在の撮像信号と少なくとも現在より前に撮像した画像を再生した信号とを一部境界領域を重ねて２次元方向に配置して表示する表示配置モードを備え、前記表示配置モードによって配置された各表示領域の中で任意の領域を選択する選択手段を備えていることを特徴とする。
【手続補正５９】
【補正対象書類名】明細書
【補正対象項目名】００６５
【補正方法】削除
【補正の内容】
【手続補正６０】
【補正対象書類名】明細書
【補正対象項目名】００６６
【補正方法】削除
【補正の内容】
【手続補正６１】
【補正対象書類名】明細書
【補正対象項目名】００６７
【補正方法】削除
【補正の内容】
【手続補正６２】
【補正対象書類名】明細書
【補正対象項目名】００６８
【補正方法】削除
【補正の内容】
【手続補正６３】
【補正対象書類名】明細書
【補正対象項目名】００６９
【補正方法】削除
【補正の内容】
【手続補正６４】
【補正対象書類名】明細書
【補正対象項目名】００７０
【補正方法】削除
【補正の内容】
【手続補正６５】
【補正対象書類名】明細書
【補正対象項目名】００７１
【補正方法】変更
【補正の内容】
【００７１】
また、上記目的を達成するために請求項１７に記載の記憶媒体は、撮像した複数枚の画像を記録媒体に記録して再生表示する画像処理装置を制御する制御プログラムを格納する記憶媒体であって、画像を撮像し、該撮像した画像を記録及び再生し、少なくとも現在より前に撮像した画像を再生して表示し、現在の撮像信号と少なくとも現在より前に撮像した画像を再生した信号とを一部境界領域を重ねて表示する複数の表示配置モードを実行するように制御するステップの制御モジュールを有する制御プログラムを格納したことを特徴とする。
【手続補正６６】
【補正対象書類名】明細書
【補正対象項目名】００７２
【補正方法】削除
【補正の内容】
【手続補正６７】
【補正対象書類名】明細書
【補正対象項目名】００７３
【補正方法】削除
【補正の内容】
【手続補正６８】
【補正対象書類名】明細書
【補正対象項目名】００７４
【補正方法】削除
【補正の内容】
【手続補正６９】
【補正対象書類名】明細書
【補正対象項目名】００７５
【補正方法】削除
【補正の内容】
【手続補正７０】
【補正対象書類名】明細書
【補正対象項目名】００７６
【補正方法】変更
【補正の内容】
【００７６】
また、上記目的を達成するために請求項１８に記載の記憶媒体は、撮像した複数枚の画像を記録媒体に記録して再生表示する画像処理装置を制御する制御プログラムを格納する記憶媒体であって、画像を撮像し、該撮像した画像を記録及び再生し、少なくとも現在より前に撮像した画像を再生して表示し、現在の撮像信号と少なくとも現在より前に撮像した画像を再生した信号とを一部境界領域を重ねて１次元方向に配置して表示する表示配置モードと、配置方向を１次元方向に反転する機能とを実行するように制御するステップの制御モジュールを有する制御プログラムを格納したことを特徴とする。
【手続補正７１】
【補正対象書類名】明細書
【補正対象項目名】００７７
【補正方法】削除
【補正の内容】
【手続補正７２】
【補正対象書類名】明細書
【補正対象項目名】００７８
【補正方法】削除
【補正の内容】
【手続補正７３】
【補正対象書類名】明細書
【補正対象項目名】００７９
【補正方法】削除
【補正の内容】
【手続補正７４】
【補正対象書類名】明細書
【補正対象項目名】００８０
【補正方法】削除
【補正の内容】
【手続補正７５】
【補正対象書類名】明細書
【補正対象項目名】００８１
【補正方法】変更
【補正の内容】
【００８１】
また、上記目的を達成するために請求項１９に記載の記憶媒体は、撮像した複数枚の画像を記録媒体に記録して再生表示する画像処理装置を制御する制御プログラムを格納する記憶媒体であって、画像を撮像し、該撮像した画像を記録及び再生し、少なくとも現在より前に撮像した画像を再生して表示し、現在の撮像信号と少なくとも現在より前に撮像した画像を再生した信号とを一部境界領域を重ねて１次元方向に配置して表示する第１の表示配置モード及び少なくとも現在より前に撮像した画像を再生した信号と更に前に撮像した画像を再生した信号とを一部境界領域を重ねて１次元方向に配置して表示する第２の表示配置モードを切り替えるように制御するステップの制御モジュールを有する制御プログラムを格納したことを特徴とする。
【手続補正７６】
【補正対象書類名】明細書
【補正対象項目名】００８２
【補正方法】削除
【補正の内容】
【手続補正７７】
【補正対象書類名】明細書
【補正対象項目名】００８３
【補正方法】削除
【補正の内容】
【手続補正７８】
【補正対象書類名】明細書
【補正対象項目名】００８４
【補正方法】削除
【補正の内容】
【手続補正７９】
【補正対象書類名】明細書
【補正対象項目名】００８５
【補正方法】削除
【補正の内容】
【手続補正８０】
【補正対象書類名】明細書
【補正対象項目名】００８６
【補正方法】変更
【補正の内容】
【００８６】
また、上記目的を達成するために請求項２０に記載の記憶媒体は、撮像した複数枚の画像を記録媒体に記録して再生表示する画像処理装置を制御する制御プログラムを格納する記憶媒体であって、画像を撮像し、該撮像した画像を記録及び再生し、少なくとも現在より前に撮像した画像を再生して表示し、現在の撮像信号と少なくとも現在より前に撮像した画像を再生した信号とを一部境界領域を重ねて２次元方向に配置して表示する表示配置モードによって配置された各表示領域の中で任意の領域を選択するように制御するステップの制御モジュールを有する制御プログラムを格納したことを特徴とする。
【手続補正８１】
【補正対象書類名】明細書
【補正対象項目名】００８７
【補正方法】削除
【補正の内容】
【手続補正８２】
【補正対象書類名】明細書
【補正対象項目名】００８８
【補正方法】削除
【補正の内容】
【手続補正８３】
【補正対象書類名】明細書
【補正対象項目名】００８９
【補正方法】削除
【補正の内容】
【手続補正８４】
【補正対象書類名】明細書
【補正対象項目名】００９０
【補正方法】削除
【補正の内容】